(57)【要約】  【課題】  記録されたコンテンツの削除を簡単にかつ誤りなく実行できるようにする。  【解決手段】コンテンツの削除処理手順として、コンテンツの再生処理に継続して、再生したコンテンツをユーザの選択により削除を可能とする手順と、ダビング処理を実行したことを条件にコンテンツの削除を可能とする手順を含む複数の手順を設け、コンテンツを記録する際に、そのコンテンツの管理情報に、複数の削除処理手順の一つを特定する識別子を書込み、コンテンツの再生終了後、あるいはコンテンツを削除しようとする際に、そのコンテンツの管理情報の識別子を判別して、削除処理手順を特定し、特定した処理手順で削除処理を実行する。  【選択図】図４
2005109742.tif 000002
【特許請求の範囲】
【請求項１】
コンテンツを、当該コンテンツの異なる複数の削除処理手順の一つを特定する情報を含む管理情報と共に記録媒体に記録する記録手段を備えたことを特徴とするコンテンツの記録装置。
【請求項２】
コンテンツが、当該コンテンツの異なる複数の削除処理手順の一つを特定する情報を含む管理情報と共に記録された記録媒体から前記管理情報を再生する再生手段と、
再生された管理情報から前記削除処理手順を特定し、当該特定された削除処理手順に基づいて前記コンテンツの削除処理を実行する制御手段と、
を具備したことを特徴とするコンテンツの再生装置。
【請求項３】
前記削除処理手順は、コンテンツの再生処理の後に当該再生処理に連続して削除を可能とする第1の処理手順と、コンテンツがダビング済である場合にのみ削除を可能とする第２の処理手順を含むことを特徴とする請求項２に記載のコンテンツの再生装置。
【請求項４】
コンテンツを、当該コンテンツの異なる複数の削除処理手順の一つを特定する情報を含む管理情報と共に記録媒体に記録する記録手段と、
前記記録媒体から前記管理情報を再生する再生手段と、
再生された管理情報から前記削除処理手順を特定し、当該特定された削除処理手順に基づいて前記コンテンツの削除処理を実行する制御手段と、
を具備したことを特徴とするコンテンツの記録再生装置。
【請求項５】
前記削除処理手順は、コンテンツの再生処理の後に当該再生処理に連続して削除を可能とする第1の処理手順と、コンテンツがダビング済である場合にのみ削除を可能とする第２の処理手順を含むことを特徴とする請求項４に記載のコンテンツの記録再生装置。
【請求項６】
前記制御手段は、前記管理情報が前記第1の処理手順を特定するものである場合に、前記コンテンツの再生処理がコンテンツの先頭から所定位置以上に再生された際に、前記第1の処理手順を実行するものであることを特徴とする請求項４に記載のコンテンツの記録再生装置。
【請求項７】
前記制御手段は、前記管理情報が前記第1の処理手順を特定するものである場合に、前記コンテンツの再生処理が連続して当該コンテンツ全体の所定割合以上になった際に、前記第1の処理手順を実行するものであることを特徴とする請求項４に記載のコンテンツの記録再生装置。
【請求項８】
さらに表示手段を含み、前記制御手段は、前記管理情報が前記第1の処理手順を特定するものである場合に、コンテンツの再生処理が終了した際に、前記第1の処理手順による削除処理を実行するか否かの選択を可能とするメッセージを前記表示手段に表示させるものであることを特徴とする請求項４に記載のコンテンツの記録再生装置。
【請求項９】
さらに表示手段を含み、前記制御手段は、複数のコンテンツのリストを画面表示し、当該リストから選択されたコンテンツに対する前記管理情報が前記第２の処理手順を特定するものである場合に、前記第２の処理手順による削除処理を実行するものであることを特徴とする請求項４に記載のコンテンツの記録再生装置。
【請求項１０】
前記制御手段が、当該リストから選択されたコンテンツに対する前記管理情報が前記第２の処理手順を特定するものである場合に、前記第２の処理手順による削除処理を実行するか否かの選択を可能とするメッセージを前記表示手段に表示させるものであることを特徴とする請求項９に記載のコンテンツの記録再生装置。
【請求項１１】
前記制御手段は、前記管理情報を書き換えることを可能とするものであることを特徴とする請求項４乃至１０のいずれかに記載のコンテンツの記録再生装置。
【請求項１２】
コンテンツを、当該コンテンツの削除処理手順を特定する識別子を含む管理情報と共に記録媒体に記録するステップと、
前記記録媒体から管理情報を再生するステップと、
前記再生された管理情報の前記識別子を参照して前記削除処理手順を特定するステップと、
前記特定された削除処理手順に基づいてコンテンツの削除処理を実行するステップと、
を具備したことを特徴とするコンテンツの削除管理方法。
【請求項１３】
コンテンツを、コンテンツの再生処理の後に当該再生処理に引き続いて削除処理を実行可能とする第1の削除処理手順と、コンテンツがダビング済である場合にのみ削除処理を実行可能とする第２の削除処理手順を含む削除処理手順を特定する識別子を有する管理情報と共に記録媒体に記録するステップと、
前記記録されたコンテンツを前記管理情報と共に再生するステップと、
前記再生が終了した際に、前記管理情報の識別子を参照し、当該識別子が前記第１の削除処理手順を特定するものであるか否か判定するステップと、
前記参照した識別子が前記第１の削除処理手順を特定するものである場合に、当該第１の削除処理手順を実行するステップと、
を具備したことを特徴とするコンテンツの削除管理方法。
【請求項１４】
コンテンツを、コンテンツの再生処理の後に当該再生処理に引き続いて削除処理を実行可能とする第1の削除処理手順と、コンテンツがダビング済である場合にのみ削除処理を実行可能とする第２の削除処理手順を含む削除処理手順を特定する識別子を有する管理情報と共に記録媒体に記録するステップと、
前記記録されたコンテンツから、削除対象とするコンテンツを選択するステップと、
この選択されたコンテンツの前記識別子を参照し、当該識別子が前記第２の削除処理手順を特定するものであるか否か判定するステップと、
前記識別子が前記第２の削除処理を特定するものである場合に、当該第２の削除処理を実行するステップと、
を具備したことを特徴とするコンテンツの削除管理方法。
【発明の詳細な説明】
【技術分野】
【０００１】
この発明は、例えば映像、音声データなどのコンテンツを記録し再生することが可能なコンテンツ記録再生装置において、記録したコンテンツデータの削除処理を簡単にかつ誤りなく実行できるようにしたコンテンツの記録装置、再生装置、記録再生装置及びコンテンツの削除管理方法に関する。
【背景技術】
【０００２】
現在、放送番組をＨＤＤ（Hard Disk Drive）あるいはＤＶＤ（Digital Versatile Disk）に予約録画することが可能な製品が市場に提供されており、このような製品は、大記録容量のＨＤＤを備え、ユーザは、通常は放送番組をＨＤＤに一旦録画した後、真に保存しておきたい番組のみ選択してＤＶＤに記録し直すという使い方をする。
【０００３】
ＨＤＤの記録容量に空きがなくなれば、ユーザは録画済の番組を削除して空きを確保して新たな番組を録画したり、あるいは、録画した番組に上書きするという方法で新たな番組を録画するという操作をすることになる。
【０００４】
したがって、削除あるいは上書きをする番組を特定することが重要となり、それを誤ると、真に必要な番組データを失ってしまいかねない。しかしながら、多くの番組が録画された状態で、削除あるいは上書きしてもよい番組を特定することは、それほど簡単な作業ではなく、特に録画してから相当の日時が経過している場合、録画した目的さえ判然としない番組も残っていたりして、内容確認のために視聴をしてみるという作業を余儀なくされる。
【０００５】
このように、ＨＤＤに録画された番組から、削除あるいは上書き可能な番組をユーザが簡単に区別して管理できるようにすることは重要であるが、従来そのような管理手法が提供されていない。
【０００６】
例えば、ウィークディの毎日、あるいは特定の曜日に毎週放送される番組を継続的に予約録画することが可能な機能を備えた製品において、そのような継続的な録画をする際に、前回の録画部分に自動的に上書きするといういわゆる「オートリニューアル」機能を実行させることが可能な製品も市場に出回っているが、この場合、録画後に視聴したか否かに関わりなく上書きが実行されるため、必ずしも使い勝手がよいとはいえないものである。
【０００７】
また、特許文献１には、ハードディスクを、１日分の番組が全て記録されるリングバッファ領域と、視聴者が保存を希望する番組を記録しておく保存領域とに分割し、リングバッファ領域に記録した番組を再生し、再生終了時に、その番組を削除するか保存領域に記録するかの判断を視聴者に行なわせて、その判断に基づいて処理を実行するようにした提案が示されている。
【０００８】
この提案の場合、番組を視聴し終わった後で削除するか保存するかのコメントを表示し、視聴者がそのコメントに対して選択入力を行なうことで、その番組の削除が実行されるか、あるいは保存が実行される。したがって、コメントが表示されるに至るまでの処理は、各番組共通であり、番組の視聴が完了しないと、次の処理に移行できないという問題を有している。
【特許文献１】特開平１０−２３４００７号公報（６頁、図２１，２２，２４，２５）
【発明の開示】
【発明が解決しようとする課題】
【０００９】
以上のように、従来、ハードディスクなどの記録媒体に記録したコンテンツの削除あるいは上書き処理を簡単に行なえるようにした記録装置が存在せず、その実用化が強く要望されている。
【００１０】
本発明は、以上の点に考慮してなされたものであり、コンテンツの予約記録時に、コンテンツ毎に、例えば単に視聴を目的としたエアーチェック用のものであるか、あるいは保存を目的としたものであるかの区別をすることが可能な管理情報を記録し、その管理情報に基づいて、削除処理を実行するように構成することで、記録したコンテンツの管理を簡単に行なうことができるようにしたコンテンツの記録装置、再生装置、記録再生装置及びコンテンツの削除管理方法を提供することを目的とする。
【課題を解決するための手段】
【００１１】
本発明のコンテンツの記録装置は、コンテンツを、当該コンテンツの異なる複数の削除処理手順の一つを特定する情報を含む管理情報と共に記録媒体に記録する記録手段を備えたことを特徴とする。
【００１２】
本発明のコンテンツの再生装置は、コンテンツが、当該コンテンツの異なる複数の削除処理手順の一つを特定する情報を含む管理情報と共に記録された記録媒体から前記管理情報を再生する再生手段と、再生された管理情報から前記削除処理手順を特定し、当該特定された削除処理手順に基づいて前記コンテンツの削除処理を実行する制御手段と、を具備したことを特徴とする。
【００１３】
本発明のコンテンツの記録再生装置は、コンテンツを、当該コンテンツの異なる複数の削除処理手順の一つを特定する情報を含む管理情報と共に記録媒体に記録する記録手段と、前記記録媒体から前記管理情報を再生する再生手段と、再生された管理情報から前記削除処理手順を特定し、当該特定された削除処理手順に基づいて前記コンテンツの削除処理を実行する制御手段と、を具備したことを特徴とする。
【００１４】
本発明のコンテンツの削除管理方法は、コンテンツを、当該コンテンツの削除処理手順を特定する識別子を含む管理情報と共に記録媒体に記録するステップと、前記記録媒体から管理情報を再生するステップと、前記再生された管理情報の前記識別子を参照して前記削除処理手順を特定するステップと、前記特定された削除処理手順に基づいてコンテンツの削除処理を実行するステップと、を具備したことを特徴とする。
【００１５】
本発明のコンテンツの削除管理方法は、コンテンツを、コンテンツの再生処理の後に当該再生処理に引き続いて削除処理を実行可能とする第1の削除処理手順と、コンテンツがダビング済である場合にのみ削除処理を実行可能とする第２の削除処理手順を含む削除処理手順を特定する識別子を有する管理情報と共に記録媒体に記録するステップと、前記記録されたコンテンツを前記管理情報と共に再生するステップと、前記再生が終了した際に、前記管理情報の識別子を参照し、当該識別子が前記第１の削除処理手順を特定するものであるか否か判定するステップと、前記参照した識別子が前記第１の削除処理手順を特定するものである場合に、当該第１の削除処理手順を実行するステップと、を具備したことを特徴とする。
【００１６】
本発明のコンテンツの削除管理方法は、コンテンツを、コンテンツの再生処理の後に当該再生処理に引き続いて削除処理を実行可能とする第1の削除処理手順と、コンテンツがダビング済である場合にのみ削除処理を実行可能とする第２の削除処理手順を含む削除処理手順を特定する識別子を有する管理情報と共に記録媒体に記録するステップと、前記記録されたコンテンツから、削除対象とするコンテンツを選択するステップと、この選択されたコンテンツの前記識別子を参照し、当該識別子が前記第２の削除処理手順を特定するものであるか否か判定するステップと、前記識別子が前記第２の削除処理を特定するものである場合に、当該第２の削除処理を実行するステップと、を具備したことを特徴とする。
【発明の効果】
【００１７】
本発明によれば、コンテンツの記録目的に応じて、削除処理手順を特定する識別子を管理情報に書き込むように構成することで、コンテンツの再生終了時に、その識別子を参照して、それが再生に続いてコンテンツの削除を実行する処理手順を特定する識別子であれば、そのまま削除処理を実行することが可能となるため、改めて、削除するコンテンツを選択するなどの操作をする必要がなく削除処理が簡単に実行できるものである。
【００１８】
また、コンテンツを選択して削除処理を実行する際にも、管理情報の識別子を参照して、それがダビング処理が済んでいないと削除できない識別子であれば、ダビングを実行してから削除処理をするため、重要なコンテンツを誤って削除してしまうという虞がなくなるものである。
【発明を実施するための最良の形態】
【００１９】
以下、図面を参照して、この発明のコンテンツの記録再生装置を詳細に説明する。図１は、この発明を適用したコンテンツ記録再生装置１００の一実施の形態を示す回路ブロック図である。この実施の形態では、記録媒体としてＤＶＤ−ＲＡＭ（DVD-Random Access Memory）１０１とＨＤＤ（Hard Disk Drive）１０２の双方を取り扱うことができる装置として示しているが、ＨＤＤあるいはＤＶＤ−ＲＡＭのいずれか一方または両方を半導体メモリによる記録媒体などに置き換えてもよい。
【００２０】
図１の各ブロックを大きく分けると、図面左側には記録部の主なブロックが示され、右側には再生部の主なブロックが示されている。
【００２１】
記録部としては、まず、ビデオファイルを構築できる情報記録媒体である第１のメディアとしての光ディスク１０１を回転駆動し情報の読み書きを実行するディスクドライブ部１０３を有する。また、第２のメディアとしてのＨＤＤを駆動するＨＤＤドライブ部１０４を有する。ディスクドライブ部１０３は、光ディスク１０１に対する回転制御系、レーザ駆動系、光学系などを有する。
【００２２】
ディスクドライブ部１０３とＨＤＤドライブ部１０４は、データプロセッサ部１０５に接続されている。データプロセッサ部１０５は、ディスクドライブ部１０３及びＨＤＤドライブ部１０４に記録データを供給することができ、また、再生されたデータを受け取ることができる。
【００２３】
データプロセッサ部１０５は、記録または再生単位のデータを取り扱うもので、バッファ回路、変調・復調回路、エラー訂正回路などを含む。
【００２４】
さらに装置１００は、その記録部側に設けられたエンコーダ部１０６と、再生部側に設けられたデコーダ部１０７と、装置本体の動作を制御するマイクロコンピュータブロック（ＭＰＵ）１０８とを有し、それらを主たる構成要素としている。
【００２５】
エンコーダ部１０６は、入力されたアナログビデオ信号やアナログオーディオ信号をデジタル化するビデオ用及びオーディオ用のアナログデジタルコンバータと、デジタル化されたビデオ信号を圧縮するビデオエンコーダと、デジタル化されたオーディオ信号を圧縮するオーディオエンコーダとを有する。さらに、副映像のデータを圧縮するエンコーダも含む。
【００２６】
エンコーダ部１０６の出力は、バッファメモリ１０９を含むフォーマッタ１１０にて所定のＤＶＤ−ＲＡＭのフォーマットに変換され、データプロセッサ部１０５に供給される。
【００２７】
エンコーダ部１０６には、ＡＶ（Audio Visual）入力部１１１からの外部アナログビデオ信号と外部アナログオーディオ信号、あるいはＴＶ（Television）チューナ１１２からのアナログビデオ信号とアナログオーディオ信号が入力される。
【００２８】
なお、エンコーダ部１０６は、圧縮されたデジタルビデオ信号やデジタルオーディオ信号が直接入力されるときは、圧縮デジタルビデオ信号やデジタルオーディオ信号を直接フォーマッタ１１０に供給することもできる。さらに、エンコーダ部１０６は、アナログデジタル変換されたデジタルビデオ信号やオーディオ信号を、後述するビデオミキシング部やオーディオセレクタに直接供給することもできる。
【００２９】
エンコーダ部１０６に含まれるビデオエンコーダでは、デジタルビデオ信号をＭＰＥＧ（Moving Picture Experts Group）２またはＭＰＥＧ１規格に基づく可変ビットレートで圧縮されたデジタルビデオ信号に変換する。同様に、デジタルオーディオ信号をＭＰＥＧまたはＡＣ（Audio Compression）−３規格に基づく固定ビットレートで圧縮されたデジタルオーディオ信号に変換するか、あるいはリニアＰＣＭ（Pulse Code Modulation）のデジタルオーディオ信号に変換する。
【００３０】
副映像信号がＡ／Ｖ入力部１１１から入力された場合（例えば副映像信号の独立出力端子付ＤＶＤビデオプレーヤからの信号など）、あるいはこのようなデータ構成のＤＶＤビデオ信号が放送されてそれがＴＶチューナ１１２で受信された場合は、ＤＶＤビデオ信号中の副映像信号が副映像エンコーダでエンコード（ランレングス符号化）されて副映像のビットマップとなる。
【００３１】
エンコードされたデジタルビデオ信号、デジタルオーディオ信号、副映像データは、フォーマッタ１１０にてパック化され、ビデオパック、オーディオパック、副映像パックとなり、さらにこれらが集合されてＤＶＤレコーディング規格（例えばＤＶＤ−ＲＡＭ、ＤＶＤ−Ｒ：DVD-Recordable、ＤＶＤ−ＲＷ：DVD-ReWritableなどに記録するために制定された規格）で規定されたフォーマットに変換される。
【００３２】
ここで図１の装置は、フォーマッタ１１０でフォーマット化された情報（ビデオ、オーディオ、副映像データなどのパック）及びそれらの内容を特定して、再生するときの指標としての機能を有する情報を含むように生成された管理情報を、データプロセッサ部１０５を介してＨＤＤドライブ部１０２あるいはディスクドライブ部１０３に供給し、ＨＤＤ１０２あるいは光ディスク１０１に記録することができる。
【００３３】
またＨＤＤ１０２あるいは光ディスク１０１に記録された情報を再生して、データプロセッサ部１０５、ディスクドライブ部１０３を介して光ディスク１０１あるいはＨＤＤ１０２に記録することもできる。すなわち、光ディスク１０１とＨＤＤ１０２間で相互にダビングすることができる。
【００３４】
またＨＤＤ１０２あるいは光ディスク１０１に記録されている複数番組のビデオオブジェクトを、一部削除したり、異なる番組のオブジェクトを繋げたり、といった編集処理を行うこともできる。これは、本発明に係るフォーマットが取り扱うデータ単位を定義し、編集を容易にしているからである。
【００３５】
マイクロコンピュータブロック１０８は、ＭＰＵ（Micro Processing Unit）（またはＣＰＵ（Central Processing Unit））１０８ａと、制御プログラムなどが書き込まれたＲＯＭ１０８ｂと、プログラム実行に必要なワークエリアを提供するためのワークＲＡＭ１０８ｃとを含んでいる。
【００３６】
マイクロコンピュータブロック１０８のＭＰＵ１０８ａは、ＲＯＭ１０８ｂに格納された制御プログラムに従い、ワークＲＡＭ１０８ｃをワークエリアとして用いて、ＤＶＤの記録領域の欠陥場所検出、未記録領域検出、録画情報記録位置設定、ＵＤＦ（Universal Disk Format）記録、ＡＶアドレス設定などを実行する。
【００３７】
またマイクロコンピュータブロック１０８は、システム全体を制御するために必要な情報処理部を有するもので、さらに機能としてのディレクトリ検出部１０８ｄと、ＶＭＧ（Video Manager）（全体のビデオ管理情報）情報作成部、コピー関連情報検知部、コピー及びスクランブリング情報処理部（ＲＤＩ：Real time Data Information）、パケットヘッダ処理部、シーケンスヘッダ処理部、アスペクト比情報処理部などを含む編集時の管理情報制御部１０８ｄと録画時の管理情報制御部１０８ｅを備える。
【００３８】
マイクロコンピュータブロック１０８には、表示部１１３が接続されており、ＭＰＵ１０８ａの実行結果のうち、ユーザに通知すべき内容は、表示部１１３に表示されるか、または後述するモニタのディスプレイにＯＳＤ（On Screen Display）表示される。ＯＳＤ情報は、ＧＵＩ（Graphical User Interface）形式の情報を含み、ＲＯＭ１０８ｂに保存されている文字、符号、キャラクタなどのデータを用いて、マイクロコンピュータブロック１０８で生成される。またマイクロコンピュータブロック１０８は、ユーザが操作することで、装置１００に対してその機能、動作を設定し、あるいは調整するための操作信号を与えるキー入力部１１４を有する。
【００３９】
さらにまた、マイクロコンピュータブロック１０８には、赤外線受光部１１５が接続され、リモートコントローラ１１６から送信される赤外線のリモートコントロール信号（以下リモコン信号と称す）を受信する。赤外線受光部１１５で受光されたリモコン信号は、マイクロコンピュータブロック１０８で解読され、キー入力部１１４からの操作信号と同様に、装置の機能、動作を設定し、あるいは調整するために用いられる。
【００４０】
リモートコントローラ１１６は、装置１００の機能、動作を設定し、あるいは調整するための複数のキーを備えており、マイクロコンピュータブロック１０８で生成され、ＧＵＩ形式でＯＳＤ表示された機能設定のための複数の項目の一つを選択するためのカーソルキーと、カーソルキーによって選択された項目を登録するための決定キーを含む。
【００４１】
また、リモートコントローラ１１６は、将来放送される番組の録画を予約する録画予約を実行するためにも使用され、リモートコントローラ１１６によって入力された録画予約データを記憶するためのメモリ１１７がマイクロコンピュータブロック１０８に接続されている。
【００４２】
マイクロコンピュータブロック１０８には、ＳＴＣ（System Time Clock）１１８が接続されており、ディスクドライブ部１０３、ＨＤＤドライブ部１０４、データプロセッサ部１０５、エンコーダ部１０６及び／またはデコーダ部１０７などを制御するタイミングを、このＳＴＣ１１８からの時間データに基づいて設定し、処理することができる。録画や再生の動作は、通常はＳＴＣ１１８からのタイムクロックに同期して実行されるが、それ以外の処理はＳＴＣ１１８とは独立したタイミングで実行されてもよい。
【００４３】
デコーダ部１０７は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をＭＰＥＧデコードして非圧縮のデジタルビデオ信号に変換するビデオデコーダと、セパレータで分離された副映像データ（副映像パックの内容）をデコードするＳＰ（Sub Picture）デコーダと、セパレータで分離されたオーディオデータ（オーディオパックの内容）をデコードして非圧縮のデジタルオーディオ信号に変換するデコーダとを有するが、図１では省略されている。
【００４４】
またデコードされた主映像にデコードされた副映像を適宜合成し、主映像にメニュー、ハイライトボタン、字幕やその他の副映像を重ねて出力するビデオプロセッサを備えている。
【００４５】
デコーダ部１０７から出力されるビデオ信号は、Ｖ（ビデオ）ミキシング部１１９に入力される。Ｖミキシング部１１９では、テキストデータの合成が行われる。またＶミキシング部１１９には、ＴＶチューナ１１２やＡ／Ｖ入力部１１１からの信号がエンコーダ部１０６を介して出力されるのを直接取り込むラインも接続されている。
【００４６】
Ｖミキシング部１１９には、バッファとして用いるフレームメモリ１２０が接続されている。Ｖミキシング部１１９の出力がアナログ出力の場合はＩ／Ｆ（Interface）１２１を介して外部導出端子から外部へ出力され、デジタル出力の場合はデジタルアナログ変換器（Ｄ／Ａ）１２２を介して外部導出端子から外部へ出力されて、モニタ１２３などで表示される。
【００４７】
デコーダ部１０７から出力されるオーディオ信号は、セレクタ１２４を介してデジタルアナログ変換器（Ｄ／Ａ）１２５でアナログ変換され外部導出端子から外部に出力され、スピーカ１２６などで音声として出力される。
【００４８】
セレクタ１２４は、マイクロコンピュータブロック１０８からのセレクト信号により制御される。これによりセレクタ１２４は、ＴＶチューナ１１２やＡ／Ｖ入力部１１１からのデジタル信号を直接モニタするとき、エンコーダ部１０６をスルーした信号を直接選択することが可能である。
【００４９】
エンコーダ部１０６のフォーマッタ１１０では、録画中、各切り分け情報を作成し、定期的にマイクロコンピュータブロック１０８のＭＰＵ１０８ａへ送る処理を行なう。切り分け情報としては例えば、ＭＰＥＧのＧＯＰ（Group Of Picture）の先頭割り込み時などの情報の他、ＶＯＢＵ（Video Object Unit）のパック数、ＶＯＢＵ先頭からのＩ（Intra）ピクチャのエンドアドレス、ＶＯＢＵの再生時間などの情報が含まれる。
【００５０】
同時に、マイクロコンピュータブロック１０８の録画時の管理情報制御部１０８ｅに含まれるアスペクト情報処理部からの情報を録画開始時にＭＰＵ１０８ａへ送り、ＭＰＵ１０８ａはＶＯＢ（Video Object）ストリーム情報（ＳＴＩ：Stream Information）を作成する。ここでＳＴＩは、解像度データ、アスペクトデータなどを含み、再生時、各デコーダ部ではこの情報を元に初期設定が行われる。
【００５１】
また図１に示す装置１００においては、ビデオファイルは１ディスクに１ファイルとしている。またデータをアクセス（シーク）している間に、途切れないで再生を続けるために、最低限連続する情報単位（サイズ）を決めており、この単位をＣＤＡ（Contiguous Data Area）という。ＣＤＡサイズは、ＥＣＣ（Error Correcting Code）ブロック（１６セクタ）の倍数であり、ファイルシステムではこのＣＤＡ単位で記録を行っている。
【００５２】
データプロセッサ部１０５は、エンコーダ部１０６のフォーマッタ１１０からＶＯＢＵ単位のデータを受け取り、ＣＤＡ単位のデータをディスクドライブ部１０３あるいはＨＤＤドライブ部１０２に供給している。またマイクロコンピュータブロック１０８のＭＰＵ１０８ａは、録画時の管理情報制御部１０８ｅにより、記録したデータを再生するのに必要な管理情報を作成し、データ記録終了のコマンドを認識すると、作成した管理情報をデータプロセッサ部１０５に送る。これにより、管理情報が光ディスク１０１に記録される。
【００５３】
したがって、エンコードが行われているとき、マイクロコンピュータブロック１０８のＭＰＵ１０８ａは、エンコーダ部１０６からデータ単位の情報（切り分け情報など）を受け取る。また、マイクロコンピュータブロック１０８のＭＰＵ１０８ａは、記録開始時には光ディスク１０１及びＨＤＤ１０２から読み取った管理情報（ファイルシステム）を認識し、各ディスクの未記録エリアを認識し、データ上の記録エリアをデータプロセッサ部１０５を介して各ディスクに設定している。
【００５４】
以上のように構成された記録再生装置１００において、録画予約を行なう場合、ユーザは、リモートコントローラ１１６を操作して、リモコン信号をコンピュータブロック１０８に送り、記録再生装置１００を録画予約入力状態に設定する。
【００５５】
録画予約入力状態においては、コンピュータブロック１０８は、録画予約データを入力し、かつ入力したデータを確認するための画面をモニタ１２３で表示させるべく、ＯＳＤ信号を生成して出力する。ユーザは、表示された画面を見ながら、リモートコントローラ１１６の数字キー、カーソルキー及び決定キーなどを操作して、予約データを入力してメモリ１１７に記憶させる。
【００５６】
図２にモニタ１２３で表示される録画予約のための画面を示す。図に示すように、予約データとして、ＣＨ（チャンネル番号）２０1、日付２０２、開始時刻２０３、終了時刻２０４、記録先２０５、モード２０６、レート２０７、音質２０８、録画目的２０９の各データが用いられている。
【００５７】
ＣＨ２０１は、放送チャンネル番号であり、日付２０２は録画しようとする番組の放送日、開始時刻２０３及び終了時刻２０４は、録画しようとする番組の放送開始時刻と放送終了時刻である。また録画先２０５は、録画する記録媒体を特定するデータであり、例えばＨＤＤ、ＤＶＤ及びＤＶＤ−ＲＡＭディスクのＡＢ面がある。
【００５８】
またモード２０６は、録画モードであり、標準の録画モードＳＰ（Standard Playing）と長時間録画モードＬＰ（Long Playing）の他、任意の伝送レートを設定できるマニュアルモードなどがある。
【００５９】
さらにレート２０７は、番組を構成するデジタル映像信号を記録する際の伝送レートであり、例えば録画モードがマニュアルの際にユーザが所定範囲内で自由に設定可能である。また録画モードがＳＰ，ＬＰなどにおいては、音質によって特定される所定の値に設定される。
【００６０】
すなわち、音質はドルビーラボラトリーズライセンシング社の民生用デジタル録音方式であるＤ１とＤ２を含み、Ｄ１は標準の音質で音声信号が１９２Ｋｂｐｓ（Kilo bit per second）のビットレートを有するデジタル信号として設定され、Ｄ２はその２倍の３８４Ｋｂｐｓのビットレートを有する信号として設定されている。
【００６１】
音質がＤ１である場合、レートは例えばＳＰモードで４．６Ｍｂｐｓ(Mega bit per second)であり、ＬＰモードでは２．２Ｍｂｐｓである。また、音質がＤ２である場合には、レートは例えばＳＰが４．４Ｍｂｐｓであり、ＬＰが２．０Ｍｂｐｓである。
【００６２】
録画目的は、エアーチェック及び保存と、指定なしの３項目に分けられ、エアーチェックは録画後、一度視聴したら即削除してもよい番組であることを意味し、保存は、他の記録媒体にダビングしたことを条件に削除を可能とする番組であることを意味する。指定なしは、エアーチェック、保存のいずれの指定もしないということである。
【００６３】
実際の録画予約操作は、図２に示す画面が表示されている状態において、リモートコントローラ１１６を操作して、カーソルを各項目に移動させてデータを入力していくものであるが、ＣＨ、日付、開始時刻及び終了時刻に関しては、リモートコントローラ１１６から数字及び記号を入力し、その他の項目に関しては、カーソルキーと決定キーでデータを入力していく。
【００６４】
すなわち、記録先２０５から録画目的２０９の各項目に関しては、予め決められた選択項目の中から選択することが可能であり、カーソルを項目に移動させると、下層に位置する選択対象となる複数の選択項目が画面表示され、カーソルで選択項目のひとつを特定し、決定キーを操作することでその選択されたデータが入力されることになる。そのようにして全ての項目のデータを入力して最後に例えば決定キーなどを操作することで録画予約データがメモリ１１７に記憶（登録）されることになる。
【００６５】
図２の１行目に示された録画予約内容は、１０月１０日の１９時から２１時２４分まで４チャンネルで放送される番組（以下番組をタイトルと称することもある）を、ＨＤＤにＳＰモード、音質Ｄ１、レート４．６Ｍｂｐｓでエアーチェック用に録画するというものである。
【００６６】
そのように録画予約データが登録されると、マイクロコンピュータブロック１０８は、自らの時計機能によって時刻を監視し、予約されたタイトルの放送開始日時になったら、ＴＶチューナ部１１２を制御して予約した番組を放送するチャンネルを選局させ、さらに、エンコーダ部１０６、データプロセッサ部１０５、ディスクドライブ部１０３、ＨＤＤドライブ部１０４、フォーマッタ１１０及びＳＴＣ１１８を駆使して、ＴＶチューナ部１１２で受信された予約番組の映像及び音声データを、管理情報と共にディスク１０１あるいはＨＤＤ１０２に記録させる。
【００６７】
録画予約された他の番組も同様にして、ディスク１０１またはＨＤＤ１０２に記録されることになる。
【００６８】
ＨＤＤ１０２あるいはディスク１０１には、タイトルを構成する映像及び音声データと共に、その管理情報も記憶されるもので、映像音声データとタイトル管理情報の関係を図３に示す。
【００６９】
図３（ａ）は、録画予約データに基づいて録画された映像音声データを示し、タイトル＃１〜＃３の３本の番組が録画されていることを示している。また、図３（ｂ）は、タイトル管理情報を模式的に示しており、各タイトルの管理情報記憶領域に、エアーチェック用であるか保存用であるかを示す識別子を保存する領域を設け、そこにその識別子を保存するように構成するものである。
【００７０】
図３（ｂ）に示す例では、図３（ａ）のタイトル＃１の管理情報の中に「保存用」の識別子が保存され、タイトル＃２の管理情報の中にはエアーチェック用及び保存用のいずれの識別子も保存されることなく、あるいは「指定なし」の識別子が保存されている。また、タイトル＃３の管理情報の中に、「エアーチェック用」を示す識別子が保存されている。
【００７１】
以上のようにして録画されたタイトルを再生する場合、ユーザは、リモートコントローラ１１６を操作して、マイクロコンピュータブロック１０８にタイトル表示のための信号を送る。それによって、マイクロコンピュータブロック１０８は、ディスク１０１及びＨＤＤ１０２からタイトル情報を読み出して、ＧＵＩ形式のタイトル一覧表を構築して、これをＶミキシング部１１９、Ｄ／Ａ１２２を介してモニタ１２３に供給して表示させる。
【００７２】
ユーザは、リモートコントローラ１１６を操作して、モニタ１２３に表示されたタイトル一覧の中から、視聴したいタイトルを選択する。それによって、装置１００が再生動作モードに設定され、マイクロコンピュータブロック１０８は、ディスクドライブ部１０３またはＨＤＤドライブ部１０４、データプロセッサ部１０５、デコーダ部１０７及びＳＴＣ１１８を駆使して、選択されたタイトルの映像及び音声データを読み出す。読み出したデータをデコーダ部１０７でデコードし、デジタル映像信号は、Ｖミキシング部１１９、Ｄ／Ａ１２２を介してモニタ１２３に供給して映像を表示させ、デジタル音声信号は、セレクタ１２４、Ｄ／Ａ１２５を介してスピーカ１２６で音声として出力させる。それによって、選択したタイトルの視聴が行なわれる。
【００７３】
タイトルの視聴が終了した時点で、ユーザはリモートコントローラ１１６を操作して、装置１００を再生モードから停止モードに切換える。それによって、マイクロコンピュータブロック１０８は、そのタイトルの管理情報内の録画目的識別子をチェックし、それが保存用の識別子である場合、あるいは指定なしの場合には、そのまま処理を終了する。
【００７４】
そのタイトルの録画目的識別子がエアーチェック用であった場合には、マイクロコンピュータブロック１０８は、モニタ１２３にそのタイトルを削除するか否かのメッセージを表示すると共に、削除を実行するためのＧＵＩ形式の表示を行なう。ユーザは、視聴したタイトルを削除する場合、リモートコントローラ１１６を操作して、削除項目を選択し、例えば決定キーを操作することになる。
【００７５】
さらに図４を参照して、録画目的識別子の内容に応じた処理の違いを、説明する。図４（ａ），（ｂ）は、図３（ａ），（ｂ）に示すものと同じ映像音声データ及びタイトル管理情報である。
【００７６】
図４（ｃ）は、タイミング４０１においてユーザによって選択されたタイトルが再生され、モニタ１２３に画面表示されている状態であり、４０２が録画目的識別子として保存用の識別子が書き込まれているかあるいは保存用の識別子及びエアーチェック用の識別子のいずれもが書き込まれていない、いわゆる指定なしのタイトルの再生画面の例で、４０３がエアーチェック用の識別子が書き込まれたタイトルを再生している例である。
【００７７】
図４（ｄ）は、タイミング４０４において、ユーザが再生モードから停止モードに切換えた際のモニタ１２３の画面表示例を示すものであり、４０５が、録画目的識別子として保存用の識別子が書き込まれているかあるいは指定なしのタイトルの再生を停止した画面の例で、４０６がエアーチェック用の識別子が書き込まれたタイトルの再生を停止した例である。
【００７８】
図４（ｄ）に示すように、指定なしあるいは保存用の識別子が書き込まれたタイトルでは、そのまま再生が停止されるだけであるが、エアーチェック用の識別子が書き込まれたタイトルでは、停止状態に移行した際に、メッセージ４０７がＯＳＤで表示される。
【００７９】
このメッセージ４０７の詳細は、ａ「このタイトルを削除する」、ｂ「次回このメッセージを出さない」、ｃ「通常停止」である。ユーザは、リモートコントローラ１１６を操作して、例えばａ「このタイトルを削除する」選択して、例えば決定キーを操作することによって、そのタイトルを削除することができるものである。すなわち、リモートコントローラ１１６の操作によって、ＨＤＤ１０２あるいはディスク１０１に記録されている管理情報の内、そのタイトルの分が削除される。
【００８０】
なお、ｂ「次回このメッセージを出さない」は、識別子を指定なしに変更するものであり、ｃ「通常停止」は削除せずに、単に停止モードへ移行させるだけの処理を行なうものである。
【００８１】
図４で説明したタイトルの再生、停止処理を図５のフローチャートを用いてさらに説明する。図５において、ステップＳ５０１で開始され、ステップＳ５０２で、視聴したいタイトルを選択して再生を開始する。次いで、ステップＳ５０３で再生が終了したか否かの判定がなされ、停止モードなどに移行して再生が終了したと判定されたら、ステップＳ５０４で、再生していたタイトルがエアーチェック用として録画されたものか否かの判定がなされ、エアーチェック用の識別子が書き込まれたタイトルであった場合、ステップＳ５０５で図４（ｄ）に示す処理項目のメッセージ４０７を画面表示する。
【００８２】
次いで、ステップＳ５０６で選択項目の「このタイトルを削除する」が選択されたか否かの判定がなされ、削除するが選択された場合、ステップＳ５０７でタイトルを削除し、ステップＳ５０８でステップＳ５０５において表示したメッセージを画面から消去して、ステップＳ５０９で処理を終了する。
【００８３】
ステップＳ５０６で削除するが選択されなかった場合、ステップＳ５１０で次回メッセージを表示しないが選択されたか否かの判定がなされ、次回メッセージを表示しないが選択されたと判定されたら、ステップＳ５１１で管理情報の識別子を指定なしに変更し、ステップＳ５０８で選択項目の画面表示を消して処理を終了する。
【００８４】
さらに、ステップＳ５１０で次回メッセージを表示しないが選択されなかったと判定されたら、通常の停止処理が選択されたものとみなして、ステップＳ５１２で通常の停止処理を実行して、ステップＳ５０８を経て処理を終了する。
【００８５】
以上説明したように、本発明のコンテンツの記録再生装置においては、コンテンツの記録時に、そのコンテンツが、エアーチェック用のものか、保存を目的としたものかを示す識別子を管理情報としてコンテンツと共に記録し、記録したコンテンツの再生を終了した際に、管理情報を参照して、そのコンテンツがエアーチェック用として録画されたものである場合に、そのタイトルを削除するか否かのメッセージを画面表示させると共に、削除を実行させることが可能なＧＵＩ形式の選択項目を画面表示して、リモートコントローラの操作で即削除できるようにしたものである。
【００８６】
それによって、タイトルを削除する場合に、後で改めて、例えばタイトル一覧を表示させてその中から選択して削除を実行するという手順を踏む必要がないため、操作が簡単になり、しかも削除の対象が、再生を終了したものに限定されるため、他の必要なコンテンツを間違って削除してしまうような事故が起ることがない。
【００８７】
なお、タイトルの再生を終了するということは、前述のようにそのタイトルを最後まで再生（視聴）した後、ユーザがリモートコントローラ１１６を操作して例えば、停止モードに移行させることで、再生を終了したと認定する場合の他、そのタイトルを最後まで再生したことで、装置１００が自動的にタイトルの再生終了を判定するように構成することもできる。
【００８８】
さらに、エアーチェック用のタイトルである場合、その全てを再生するまでもなく、途中まで再生すれば、削除してもよいタイトルであるか否か、判断することも可能な場合もあり、その場合、再生モードが停止モードに移行されたことで、図４（ｄ）のメッセージ４０７を画面表示して削除できるようにしてもよい。
【００８９】
図６は、タイトルを視聴している途中で、停止モードに移行した際に、そのタイトルを削除できるようにした処理を示すフローチャートである。図６においては、図５のフローチャートのステップＳ５０３が、ステップＳ６０３として、再生が停止されたか否かの判定処理に変わった点が異なるだけであり他のステップでは同じ処理が実行される。
【００９０】
本発明の装置１００を、図６のフローチャートで示す処理を実行するように構成することで、エアーチェック用として録画されたタイトルは、最後まで視聴することなく、削除することが可能になるものである。
【００９１】
さらに、そのタイトルの先頭から、タイトル全体の所定％以上再生した場合に、停止モードへの移行で、図４（ｄ）のメッセージ４０７を表示してタイトルを削除できるようにしてもよく、さらに、タイトルの先頭あるいは途中から、連続して再生した部分が、タイトル全体の所定％を越えた場合に、停止モードへの移行で、図４（ｄ）のメッセージ４７を表示してタイトルを削除できるようにしてもよいものであり、そのように構成された装置１００の動作を図７の図面を用いて説明する。
【００９２】
図７（ａ）は、エアーチェック用として録画したタイトルを、その先頭から全体のＸ％以上再生した場合に、停止モードへの移行で、メッセージ４０７を表示して、削除できるようにした装置の動作を模式的に示している。図７（ａ）では再生停止位置７０１が、メッセージ非表示区間にあるため、メッセージの表示は行なわれない。
【００９３】
また、図７（ｂ）は、エアーチェック用として録画したタイトルを、その先頭あるいは途中から、連続的に、全体のＺ％を越えるＹ％再生した際に、停止モードへの移行で、削除できるようにした装置の動作を模式的に示している。図７（ｂ）の停止位置７０２では、メッセージが表示されることになる。
【００９４】
図８は、図７（ａ）に示す動作をさらに説明するためのフローチャートである。図８のフローチャートでは、図７のフローチャートのステップＳ７０３とＳ７０４の間に、先頭からの再生量が全体のＸ％を越えたか否かの判定処理を行なうステップＳ８０４が挿入されている以外は、図7のフローチャートと同一である。
【００９５】
図８に示す処理においては、タイトル先頭から全体の所定％以上再生したことで、停止モードへの移行でメッセージが表示されるため、削除すべきタイトルであるか否かをより確実に判定することができるものである。
【００９６】
図９は、保存用及びエアーチェック用として録画されたタイトルを、タイトル一覧表で選択して削除する処理の過程を模式的に示すものであり、図９（ａ），（ｂ）は、図３，４と同様の、録画された映像音声データと管理情報を示すものである。
【００９７】
図９（ｃ）は、タイミング９０１においてユーザによってタイトル一覧の表示が指示された結果、モニタ１２３にタイトル一覧が画面表示されている状態であり、９０２は保存用の識別子が書き込まれたタイトルにカーソルが位置して、それが選択されようとしている状態の例で、９０３がエアーチェック用の識別子が書き込まれたタイトルまたは指定なしのタイトルにカーソルが位置してそれが選択されようとしている状態の例である。
【００９８】
図９（ｄ）は、タイミング９０４において、ユーザが例えばリモートコントローラ１１６の決定キーを操作して、タイトル一覧から削除したいタイトルを選択した際のモニタ１２３の画面表示例を示すものであり、９０５が、録画目的識別子として保存用の識別子が書き込まれているタイトルが選択された画面の例で、９０６がエアーチェック用の識別子が書き込まれたタイトルまたは指定なしタイトルが選択された例である。
【００９９】
エアーチェック用として録画されたタイトルまたは指定なしのタイトルである場合、図９（ｄ）の９０６に示すようにそのまま即座に削除されるが、保存用として録画されかつダビングが実行されていないタイトルの場合には、図９（ｄ）の９０５に示すように、タイトル一覧の画面に、メッセージ９０７がＯＳＤで表示される。
【０１００】
メッセージ９０７は、ａ「このタイトルをダビングする」、ｂ「このタイトルを削除する」、ｃ「次回このメッセージを表示しない」、及びｄ「削除中止」の各選択項目でなる。
【０１０１】
ユーザは、リモートコントローラ１１６を操作して、例えばａ「このタイトルをダビングする」を選択して、例えば決定キーを操作することによって、そのタイトルのダビングが実行されると共に、ダビング済であることを示す情報がＨＤＤ１０２あるいはディスク１０１の管理情報内に書き込まれるようになる。
【０１０２】
すなわち、リモートコントローラ１１６の操作によって、ＨＤＤ１０２あるいはディスク１０１に記録されているタイトルを再生してディスク１０１あるいはＨＤＤ１０２に記録し、ＨＤＤ１０２あるいはディスク１０１の管理情報にそのタイトルがダビング済であることが記録される。
【０１０３】
また、ｂ「このタイトルを削除する」が選択された場合は、ダビングを実行してから削除処理が行なわれる。さらに、ｃ「次回このメッセージを出さない」を選択した場合には、識別子を指定なしに変更し、ｄ「削除中止」を選択した場合には、削除処理をせずに処理を終了する。
【０１０４】
図１０は、図９で説明した動作を改めて説明するためのフローチャートである。図１０において、ステップＳ１００１で開始され、ステップＳ１００２でタイトル一覧を画面表示させる。
【０１０５】
次いで、ステップＳ１００３でタイトル一覧に基づいて削除すべきタイトルが選択されたか否かの判定がなされ、選択された場合には、ステップＳ１００４で選択されたタイトルが保存用として録画されたものであるか否かの判定が行なわれる。
【０１０６】
ステップＳ１００４で保存用タイトルであると判定された場合には、ステップＳ１００５に移って未ダビングのタイトルであるか否かの判定が行なわれ、未ダビングである場合には、ステップＳ１００６で、図９（ｄ）に示す選択項目のメッセージ９７を画面表示させる。
【０１０７】
次いで、ステップＳ１００７で、ダビング要求があったか否かの判定がなされ、ダビング要求があった場合には、ステップＳ１００８でダビング処理を実行し、次いでステップＳ１００９で、そのタイトルがダビング済であることを登録する。
【０１０８】
次いで、ステップＳ１０１０で、ステップＳ１００６において表示した選択項目のメッセージを画面から消去してステップＳ１０１１で処理を終了する。
【０１０９】
ステップＳ１００７で、ダビング要求がなかったことが判定されたら、ステップＳ１０１２で削除するが選択されたか否かの判定がなされ、削除するが選択された場合には、ステップＳ１０１３でダビング処理を実行し、ステップＳ１０１４でタイトルを削除してステップＳ１０１０を経て処理を終了する。
【０１１０】
ステップＳ１０１２で削除するが選択されないと判定された場合には、ステップＳ１０１５で次回メッセージを表示しないが選択されたか否か判定され、次回メッセージを表示しないが選択されていたら、管理情報の識別子を指定なしに変更して、ステップＳ１０１０を経て処理を終了する。
【０１１１】
ステップＳ１０１５で、次回メッセージを出さないが選択されていないと判定された場合には、ステップＳ１０１７で削除処理を停止してステップＳ１０１０を経て処理を終了する。
【０１１２】
また、ステップＳ１００３で表示されたタイトル一覧から削除タイトルが選択されなかった場合には処理を終了し、ステップＳ１００４で選択されたタイトルが保存用の識別子を有していないと判定された場合及びステップＳ１００５でダビング済のタイトルであると判定された場合には、それぞれステップＳ１０１８でタイトルを削除して処理を終了する。
【０１１３】
図９及び図１０に示す処理を装置１００に実行させることによって、保存用として録画されたタイトルは、削除要求があった場合に、ダビング済か否かの判定をして、未ダビングである場合には、ダビングが可能となるメッセージの画面表示を行ない、それに基づいてダビングを実行しないと削除処理ができないようにしたので、重要なタイトルを削除してしまうという操作ミスを確実に防止することができるものである。
【０１１４】
なお、ダビングを実施して処理を終了した場合には、そのタイトルの管理情報にダビング済であることを示す情報が保存されるものであり、例えば、図９に示すタイトル＃１をダビングした際には、管理情報として「ダビング済」が保存されることになり、「ダビング済」情報が保存された管理情報の例を図１１に示す。
【０１１５】
以上のように、本発明のコンテンツ記録再生装置によれば、録画する際に、タイトル毎にそれが保存用のタイトルであるかあるいはエアーチェック用タイトルであるかという識別子を管理情報に保存するようにし、再生が終了した際に、それがエアーチェック用として録画されたタイトルであるならば、そのタイトルを削除することが可能なメッセージを画面表示するようにしたので、削除処理を簡単に実行することができるものである。
【０１１６】
また、保存用として録画されたタイトルである場合、削除処理を実行しようとすると、まずダビングが済んでいるか否かの判定がなされ、ダビングが済んでいない場合には、ダビングを実行しないと削除できないように構成されるので、重要なタイトルを誤って削除してしまうという操作ミスを確実に防止することができるものである。
【０１１７】
なお、本発明は、以上説明した実施態様に限定されるものではなく、その趣旨を変更しない範囲で種々実施可能であり、例えばテレビジョン放送番組の録画に限らず、音声のみの放送、あるいは静止画像と音声による放送によって提供される音楽などを記録し、再生する装置にも適用することができるものである。
【０１１８】
さらにまた、以上の説明では、コンテンツがエアーチェック用であるか保存用であるかを判別する識別子を管理情報に書き込むものとしたが、各コンテンツに重要度を付してそれを示す識別子を管理情報に書き込むようにしてもよいものである。
【０１１９】
図１２は、録画予約データの項目の一つに重要度を加えたものである。図１２においては、重要度の項目以外は、図２に示すものと同じであり、項目としては、ＣＨ１２０１、日付１２０２、開始時刻１２０３、終了時刻１２０４、記録先１２０５、モード１２０６、レート１２０７、音質１２０８と重要度１２０９を備える。重要度は、数字で示され、図１２では、重要度１と３に設定されている。
【０１２０】
図１３は、映像音声データと重要度を含むタイトル管理情報の関係を模式的に示すもので、図１３（ａ）は録画予約データに基づいて録画された映像音声データを示し、タイトル＃１〜＃３の３本の番組が録画されていることを示している。また、図１３（ｂ）は、タイトル管理情報を示しており、各タイトルの管理情報記憶領域に、重要度を示す識別子を保存する領域を設け、そこにその識別子を保存するように構成するものである。
【０１２１】
図１３（ｂ）に示す例では、図１３（ａ）のタイトル＃１の管理情報の中に「重要度１」の識別子が保存され、タイトル＃２の管理情報の中に「重要度３」の識別子が保存され、タイトル＃３の管理情報の中に、「重要度６」を示す識別子が保存されている。
【０１２２】
数字が小さい方が重要度が高いとすれば、例えば重要度１の場合には、ダビングを条件として削除可能となるように処理手順が特定され、重要度４以下では、再生終了後に、削除するか否かのメッセージを表示させて削除処理が実行可能となるような処理手順を特定することができるものである。
【０１２３】
図１２及び図１３に示す実施の形態においても、重要度が低いものは、再生が実行されれば、それに引き続いて削除処理を行なうことが可能であり、重要度が高ければ、ダビングを条件として削除処理を行なうことができるものであるため、簡単な操作で削除を実行できると共に、重要なコンテンツを間違って削除してしまうというような事故を確実に防止することができるものである。
【図面の簡単な説明】
【０１２４】
【図１】本発明に係るコンテンツ記録再生装置の一実施の形態を示す回路構成図。
【図２】図１に示す装置において、録画予約する際のデータ構成を示す図。
【図３】図１に示す装置で記録されるデータの構成を模式的に示す図。
【図４】図１に示す装置の動作状態を模式的に示す図。
【図５】図４に示す動作状態をさらに説明するためのフローチャート。
【図６】図１に示す装置のさらに他の動作を説明するためのフローチャート。
【図７】図１に示す装置のさらに他の動作状態を模式的に示す図。
【図８】図７に示す動作状態をさらに説明するためのフローチャート。
【図９】図１に示す装置のさらに他の動作状態を模式的に示す図。
【図１０】図９に示す動作状態をさらに説明するためのフローチャート。
【図１１】図１０に示す処理で生成されるデータの構成を模式的に示す図。
【図１２】図１に示す装置において、録画予約する際のデータ構成の他の例を示す図。
【図１３】図１１に示す録画予約データで記録される番組データの構成を模式的に示す図。
【符号の説明】
【０１２５】
１００…コンテンツ記録再生装置
１０１…ディスク
１０２…ＨＤＤ
１０３…ディスクドライブ部
１０４…ＨＤＤドライブ部
１０５…データプロセッサ部
１０６…エンコーダ部
１０７…デコーダ部
１０８…マイクロコンピュータブロック
１０９…バッファメモリ
１１０…フォーマッタ
１１１…Ａ／Ｖ入力部
１１２…ＴＶチューナ部
１１３…表示部
１１４…キー入力部
１１５…赤外線受光部
１１６…リモートコントローラ
１１７…メモリ
１１８…ＳＴＣ
１１９… Ｖミキシング部
１２０…フレームメモリ部
１２１…Ｉ／Ｆ（インターフェース）
１２２…Ｄ／Ａ
１２３…モニタ
１２４…セレクタ
１２５…Ｄ／Ａ
１２６…スピーカ
【図１】
2005109742.tif 000003
【図２】
2005109742.tif 000004
【図３】
2005109742.tif 000005
【図４】
2005109742.tif 000006
【図５】
2005109742.tif 000007
【図６】
2005109742.tif 000008
【図７】
2005109742.tif 000009
【図８】
2005109742.tif 000010
【図９】
2005109742.tif 000011
【図１０】
2005109742.tif 000012
【図１１】
2005109742.tif 000013
【図１２】
2005109742.tif 000014
【図１３】
2005109742.tif 000015